(57)【要約】【課題】ソックスに靴下履きとしての本来的機能に加え、積極的に健康促進を図り得るよう工夫した新規なソックスを提供することを目的とする。【解決手段】足裏覆い面２、足甲覆い面３を有するソックス１において、その一部分又は全面におけるその内面又は外面に、ゴム、軟質合成樹脂等からなる弾性組成材をもって粒状突起５を点着形成したことを特徴となし、前記弾性組成材中には磁性物質、殺菌性物質、防臭性物質等のいずれか一種又は複数種を混入することをも包含する。【選択図】　　　　図１
0003097813.tif 000002
【実用新案登録請求の範囲】
【請求項１】
足裏覆い面２、足甲覆い面３を有するソックス１において、その一部分又は全面におけるその内面又は外面に、ゴム、軟質合成樹脂等からなる弾性組成材をもって粒状突起５を点着形成したことを特徴とするソックス。
【請求項２】
前記弾性組成材中に磁性物質、殺菌性物質、防臭性物質等のいずれか一種又は複数種を混入して、粒状突起５を点着形成してなる請求項１に記載のソックス。
【請求項３】
前記弾性組成材中に主に磁性物質を混入して粒状突起５を点着形成した磁性粒状突起群５ａ、主に殺菌性物質を混入して粒状突起５を点着形成した殺菌性粒状突起群５ｂ、主に防臭性物質を混入して粒状突起５を点着形成した防臭性粒状突起群５ｃ等を適宜に区分けしてなる請求項１に記載のソックス。
【考案の詳細な説明】
【０００１】
【考案の属する技術分野】
本考案は、ソックスに関するものである。
【０００２】
【考案が解決しようとする課題】
我が国において、近年特に健康上の自己管理が大きな関心事として認識されるに至っており、その中で足部が身体全体の健康に大きく関与していることが度々指摘、報告されている。本考案は、かかる現況を背景として、足部に日常的に長時間履装するソックスに注目し、該ソックスに靴の下履きとしての本来的機能に加えて、積極的に健康促進を図り得て健康管理に資することができるよう工夫した新規なソックスを提供することを目的とするものである。
【０００３】
【課題を解決するための手段】
上記目的を達成するための本考案の構成を実施の態様に基づいて説明すると、本考案に係るソックスは、足裏覆い面２、足甲覆い面３を有するソックス１において、その一部分又は全面におけるその内面又は外面に、ゴム、軟質合成樹脂等からなる弾性組成材をもって粒状突起５を点着形成したことを最も主要な特徴とするものである。
【０００４】
そして、前記弾性組成材中に磁性物質、殺菌性物質、防臭性物質等のいずれか一種又は複数種を混入して、粒状突起５を点着形成することができる。
【０００５】
そしてまた、前記弾性組成材中に主に磁性物質を混入して粒状突起５を点着形成した磁性粒状突起群５ａ、主に殺菌性物質を混入して粒状突起５を点着形成した殺菌性粒状突起群５ｂ、主に防臭性物質を混入して粒状突起５を点着形成した防臭性粒状突起群５ｃ等を適宜に区分けして設けることができる。
【０００６】
【考案の実施の形態】
以下に、本考案の実施の形態を実施例に基づき図面を参照して説明する。
【０００７】
【実施例１】
図１において、ソックス１は、足首から下に足裏覆い面２と足甲覆い面３を有すると共に足首から上に筒状の脛覆い部４を有する一般的なソックス形態を呈するが、足首から上の脛覆い部４を有することなく、足首から下の足裏覆い面２と足甲覆い面３とだけからなる形態のショートタイプのソックスであってもよい。
【０００８】
該ソックス１における足裏覆い面２における内面に、ゴム、軟質合成樹脂等からなる弾性組成材をもって粒状突起５を点着形成している。該粒状突起５は足裏覆い面２の内面に形成することが後述する指圧作用を発揮させる上でより好ましいと言えるが、足裏覆い面２の外面に粒状突起５を形成するものであってもよい。足裏覆い面２の外面であっても相応の作用を発揮させ得る。
【０００９】
該粒状突起５には、その弾性組成材中に混合する乳化剤、セラミック粉末等の配合比率を調節する等によって、履装者に苦痛を与えることなく指圧作用を発揮し得る度合いの適度な弾力性を付与するように設定されている。これにより、該粒状突起５が、履装者の足裏の各ツボを一歩一歩の歩行毎に圧迫刺激して指圧作用を間断なく発揮させることができる。
【００１０】
更に、本実施例における粒状突起５を点着形成するについて、該粒状突起５の素材となる上記弾性組成材の中に、着磁処理してなる酸化鉄、酸化亜鉛等の磁性物質を混入することができる。このように磁性物質を混入してなる粒状突起５は、前記した指圧作用に加えて磁性物質による磁気作用によって一層の足の血流促進及び筋肉刺激を促すことができる。
【００１１】
更にまた、本実施例における粒状突起５を点着形成するについて、該粒状突起５の素材となる上記弾性組成材の中に、水酸化カルシウム等の殺菌性物質を混入することができる。このようにして殺菌性物質を混入してなる粒状突起５は、指圧作用に加えて細菌性物質による殺菌作用によって足を衛生的に保つことができる。
【００１２】
更にまた、本実施例における粒状突起５を点着形成するについて、該粒状突起５の素材となる上記弾性組成材の中に、リン酸銅等の無機系抗菌性化合物、その他の防臭性物質を混入することができる。このようにして防臭性物質を混入してなる粒状突起５は、指圧作用に加えて更に防臭性物質による防臭作用によって足の悪臭を中和抑制して快適性を保つことができる。
【００１３】
磁性物質、殺菌性物質、防臭性物質の各々は、上記したように各々の一種を単独で弾性組成材中に主として混入して粒状突起５を点状形成するようにしてもよく、又は、磁性物質、殺菌性物質、防臭性物質を２種或いは３種と複数種組み合わせて弾性組成材中に混入して粒状突起５を形成するようにしてもよい。このように組み合わせて複数種の物質を弾性組成在中に混入した場合には、各々の粒状突起５における各物質の含有量を必然的に少量化させることから、各物質の保有する本来的な効能を充分に働かせ得ないおそれを生じさせる。
【００１４】
磁性物質、殺菌性物質、防臭性物質の各々が保有する効能を２種或いは３種と複数種組み合わせて働かせようとなす場合には、図２に例示するように、弾性組成材中に主に磁性物質を混入して粒状突起５を点着形成した磁性粒状突起群５ａ、主に殺菌性物質を混入して粒状突起５を点着形成した殺菌性粒状突起群５ｂ、主に防臭性物質を混入して粒状突起５を点着形成した防臭性粒状突起群５ｃ等と適宜に区分けして設けることが、粒状突起５における各物質の有効含有量を確保してそれらの効能を発揮させ得る上で有効である。
【００１５】
【実施例２】
前記実施例１においては、粒状突起５を専ら足裏覆い面２において点着形成したものであるが、本実施例２においては、足裏覆い面２のみならず足甲覆い面３の内面又は外面においても粒状突起５を点着形成したものである。ここにおける粒状突起５は、前記実施例１における粒状突起５と同様の構成で足りるものであるから、その構成の説明は重複を避け省略する。
【００１６】
【考案の効果】
本考案は以上説明したように構成されるので、以下のような効果を奏することができる。
【００１７】
請求項１に記載の考案によって、粒状突起５が、履装者の足裏の各ツボを一歩一歩の歩行毎に圧迫刺激して指圧作用を間断なく発揮させることができ、ソックスをもって健康促進を図り得て健康管理に資することができる。
【００１８】
請求項２に記載の考案によって、粒状突起５が、前記指圧作用に加えて適宜に磁気作用、殺菌作用、又は／及び防臭作用をも発揮させることができ、ソックスをもって一層の健康促進、更には衛生保持、快適性保持をも図り得て健康管理に資することができる。
【００１９】
請求項３に記載の考案によって、粒状突起５における磁性物質、殺菌性物質、防臭性物質の複数種の各物質の有効含有量をきわめて効果的に確保してそれらの各効能を発揮させることができる。
【図面の簡単な説明】
【図１】本考案の第一実施例を示す部分切欠して要部を表す側面図である。
【図２】図１のＡ−Ａ線断面図である。
【図３】本考案の第二実施例を示す部分切欠して要部を表す側面図である。
【符号の説明】
１　　　ソックス
２　　　足裏覆い面
３　　　足甲覆い面
４　　　脛覆い部
５　　　粒状突起
５ａ　　磁性粒状突起群
５ｂ　　殺菌性粒状突起群
５ｃ　　防臭性粒状突起群
【図１】
0003097813.tif 000003
【図２】
0003097813.tif 000004
【図３】
0003097813.tif 000005